(57)【要約】      （修正有）【課題】良好にローカルディミングを行うことができる表示装置及び調光装置を提供する。【解決手段】表示装置は、複数の画素が設けられた表示領域を有する表示部３０と、表示領域と重なる位置に設けられた導光板５１と、導光板５１に光を照射する光源５２と、を有する照明部５０と、照明部５０から照射された光の光量を調節する調光部７０とを備え、調光部７０は、表示領域に重なる位置に複数の調光領域が設けられた第１基板と、それぞれの調光領域にマトリクス状に配置された複数の電極と、複数の調光領域のそれぞれの光の透過率を制御する回路部と、回路部と、複数の電極とを接続する複数の配線と、を有する。【選択図】図２
2019203934.tif 000002
【特許請求の範囲】
【請求項１】
複数の画素が設けられた表示領域を有する表示部と、
前記表示領域と重なる位置に設けられた導光板と、前記導光板に光を照射する光源と、を有する照明部と、
前記照明部から照射された光の光量を調節する調光部とを備え、
前記調光部は、
前記表示領域に重なる位置に複数の調光領域が設けられた第１基板と、
それぞれの前記調光領域にマトリクス状に配置された複数の電極と、
複数の前記調光領域のそれぞれの光の透過率を制御する回路部と、
前記回路部と、複数の前記電極とを接続する複数の配線と、を有する
表示装置。
【請求項２】
複数の前記調光領域は、前記第１基板の表面に平行な第１方向に配列され、かつ、前記第１方向と交差する第２方向に配列されており、
前記配線は、
前記第１方向に延在し、前記第２方向に配列された複数の第１配線と、
前記第２方向に延在し、複数の前記第１配線と接続された第２配線と、を含む請求項１に記載の表示装置。
【請求項３】
１つの前記調光領域に配列された複数の前記電極を含む電極ブロックごとに、複数の前記第１配線及び前記第２配線が設けられ、
前記電極ブロックに含まれる複数の前記電極は、共通の前記第２配線を介して前記回路部に接続される請求項２に記載の表示装置。
【請求項４】
１つの前記調光領域で、前記第１方向に配列された複数の前記電極を含む部分電極ブロックは、１つの前記第１配線と接続され、
前記第２方向に隣り合う前記部分電極ブロックは、異なる前記第１配線と接続される請求項２又は請求項３に記載の表示装置。
【請求項５】
前記第１配線は、前記第１方向に配列された複数の前記調光領域に重なって設けられ、前記第１方向に配列された複数の前記調光領域の、前記第１方向の一方の外縁から、他方の外縁まで延在する請求項２から請求項４のいずれか１項に記載の表示装置。
【請求項６】
複数の前記調光領域は、第１調光領域と、第２調光領域と、を含み、
前記第２調光領域は、前記第１調光領域と前記第１方向に隣り合って設けられ、前記回路部との距離が前記第１調光領域よりも近い位置に設けられ、
前記第２調光領域の前記電極と接続された前記第１配線は、前記第１調光領域と重なる位置に延在する請求項２から請求項５のいずれか１項に記載の表示装置。
【請求項７】
前記第１調光領域の前記電極と接続された前記第１配線は、前記第２調光領域と重なる位置に延在する請求項６に記載の表示装置。
【請求項８】
前記調光部は、前記第１基板と対向する第２基板と、前記第１基板と前記第２基板との間に設けられた液晶層と、前記第１基板と前記第２基板との間に設けられたスペーサとを有し、
前記スペーサは、前記配線と前記電極との接続部の上に設けられる請求項１から請求項７のいずれか１項に記載の表示装置。
【請求項９】
前記電極と前記第１配線とは、接続部を介して接続されており、
前記第２方向に隣り合う前記電極で、それぞれの前記接続部の前記第１方向の位置が異なって設けられる請求項２から請求項７のいずれか１項に記載の表示装置。
【請求項１０】
複数の前記電極と複数の前記第１配線とは、それぞれ接続部を介して接続されており、
前記接続部は、少なくとも第１接続部、第２接続部及び第３接続部を含み、
前記第２方向に配列された３つの前記電極は、それぞれ前記第１接続部、前記第２接続部、前記第３接続部を介して、異なる前記第１配線と接続されており、
前記第１接続部と前記第２接続部との前記第２方向の距離と、前記第２接続部と前記第３接続部との前記第２方向の距離が異なる請求項２から請求項７のいずれか１項に記載の表示装置。
【請求項１１】
前記配線は、さらに、前記第１方向に延在し、前記第２方向に配列された複数の第３配線を有し、
前記第３配線は、平面視で隣り合う前記第１配線の間に設けられ、前記第１配線とは異なる層に設けられる請求項２から請求項１０のいずれか１項に記載の表示装置。
【請求項１２】
前記第３配線と、前記第３配線と隣り合う前記第１配線とは、異なる前記調光領域の前記電極と接続される請求項１１に記載の表示装置。
【請求項１３】
前記第１配線は、複数の第１部分配線と、前記第１部分配線と交差する方向に延在する第２部分配線と、前記第１部分配線と前記第２部分配線とを接続する屈曲部と、を含み、
前記電極は、前記第１部分配線と重なる第１部分電極と、前記第２部分配線と重なり前記第１部分電極とは異なる形状の第２部分電極と、を含む請求項２から請求項１２のいずれか１項に記載の表示装置。
【請求項１４】
前記照明部、前記調光部、前記表示部の順に設けられる、請求項１から請求項１３のいずれか１項に記載の表示装置。
【請求項１５】
前記配線と前記電極との間に絶縁層が設けられる請求項１から請求項１４のいずれか１項に記載の表示装置。
【請求項１６】
複数の調光領域が設けられた第１基板と、
それぞれの前記調光領域にマトリクス状に配置された複数の電極と、
複数の前記調光領域のそれぞれの光の透過率を制御する回路部と、
前記回路部と、複数の前記電極とを接続する複数の配線と、を有する
調光装置。
【発明の詳細な説明】
【技術分野】
【０００１】
本発明は、表示装置及び調光装置に関する。
【背景技術】
【０００２】
所謂ローカルディミング機能を備えた液晶表示装置が知られている（例えば特許文献１）。ローカルディミング制御は、表示される画像の明るさに応じて、バックライトから照射される光の強さを変化させるようにバックライトの駆動制御を行う。
【先行技術文献】
【特許文献】
【０００３】
【特許文献１】特開２０１３−１６１０５３号公報
【発明の概要】
【発明が解決しようとする課題】
【０００４】
しかしながら、従来のバックライトの駆動制御では、バックライトが有する光源から光が届く範囲を限定するものでなかった。このため、不要な光がもたらされる範囲が発生することがあった。
【０００５】
本発明は、上記の課題に鑑みてなされたもので、良好にローカルディミングを行うことができる表示装置及び調光装置を提供することを目的とする。
【課題を解決するための手段】
【０００６】
本発明の一態様による表示装置は、複数の画素が設けられた表示領域を有する表示部と、前記表示領域と重なる位置に設けられた導光板と、前記導光板に光を照射する光源と、を有する照明部と、前記照明部から照射された光の光量を調節する調光部とを備え、前記調光部は、前記表示領域に重なる位置に複数の調光領域が設けられた第１基板と、それぞれの前記調光領域にマトリクス状に配置された複数の電極と、複数の前記調光領域のそれぞれの光の透過率を制御する回路部と、前記回路部と、複数の前記電極とを接続する複数の配線と、を有する。
【０００７】
本発明の一態様による調光装置は、複数の調光領域が設けられた第１基板と、それぞれの前記調光領域にマトリクス状に配置された複数の電極と、複数の前記調光領域のそれぞれの光の透過率を制御する回路部と、前記回路部と、複数の前記電極とを接続する複数の配線と、を有する。
【図面の簡単な説明】
【０００８】
【図１】図１は、第１実施形態に係る表示装置の主要構成例を示す図である。
【図２】図２は、表示部、調光部及び照明部の位置関係の一例を示す図である。
【図３】図３は、表示部の画素配列の一例を示す図である。
【図４】図４は、表示部の概略断面構造の一例を示す断面図である。
【図５】図５は、表示領域と表示分割領域との関係の一例を示す図である。
【図６】図６は、照明部の主要構成の一例を示す図である。
【図７】図７は、調光部の主要構成の一例を示す図である。
【図８】図８は、第１電極と配線の接続関係の一例を示す平面図である。
【図９】図９は、図８のＩＸ−ＩＸ’線に沿う断面図である。
【図１０】図１０は、回路部の機能構成例を示すブロック図である。
【図１１】図１１は、第２実施形態に係る第１電極と配線の接続関係の一例を示す平面図である。
【図１２】図１２は、第２実施形態の第１変形例に係る第１電極と配線の接続関係の一例を示す平面図である。
【図１３】図１３は、第２実施形態の第２変形例に係る第１電極と配線の接続関係の一例を示す平面図である。
【図１４】図１４は、第３実施形態に係る第１電極と、第１配線及び第３配線の接続関係の一例を示す平面図である。
【図１５】図１５は、図１４のＸＶ−ＸＶ’線に沿う断面図である。
【図１６】図１６は、第４実施形態に係る第１電極と配線の接続関係の一例を示す平面図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（第１実施形態）
図１は、第１実施形態に係る表示装置の主要構成例を示す図である。本実施形態の表示装置１は、信号処理部１０、表示部３０、駆動部４０、照明部５０及び調光部７０を備える。信号処理部１０は、外部の制御装置２から入力される入力信号ＩＰに基づいた各種の出力を行う。入力信号ＩＰは、表示装置１に画像を表示させるため信号であり、例えばＲＧＢ画像信号である。信号処理部１０は、入力信号ＩＰに基づいて画像信号ＯＰを生成する。信号処理部１０は、駆動部４０を介して画像信号ＯＰを表示部３０に出力する。また、信号処理部１０は、入力信号ＩＰに基づいて調光信号（調光制御信号）ＤＩを生成する。信号処理部１０は、調光信号ＤＩを、調光部７０に出力する。また、信号処理部１０は、入力信号ＩＰが入力されると、照明部５０を動作させる光源駆動信号ＢＬを照明部５０に出力する。信号処理部１０は、例えばＦＰＧＡ（Field-Programmable  Gate  Array）のような集積回路である。
【００１１】
表示部３０は、複数の画素４８が設けられた表示領域ＯＡを有する。複数の画素４８は、例えばマトリクス状に配置されている。本実施形態の表示部３０は、液晶表示パネルである。駆動部４０は、信号出力回路４１及び走査回路４２を有する。信号出力回路４１は、画像信号ＯＰに応じて複数の画素４８を駆動する。走査回路４２は、マトリクス状に配置された複数の画素４８を所定行（例えば、１行）単位で走査する。画素４８は、駆動部４０により、画像信号ＯＰに応じた階調値の出力が行われるよう駆動される。なお、表示部３０は、平面視で長方形状である場合に限られず、円形状、長円形状、或いは、これらの外形形状の一部を欠落させた異形状等であってもよい。また、表示部３０は、平板状に限定されず、例えば表示領域ＯＡ、又は表示領域ＯＡの外側の額縁領域の少なくとも一方が曲面を有していてもよい。
【００１２】
照明部５０は、導光板５１と複数の光源５２とを有する。導光板５１は、表示領域ＯＡを平面視した場合に表示領域ＯＡに重なる位置に配置される。光源５２は、導光板５１の側面に配置される。照明部５０は、光源５２からの光を、導光板５１の表面から面状の光として照射する。これにより、照明部５０は、表示領域ＯＡ全体を背面側から照明する。なお、「平面視」とは、調光部８０の第１基板８３（図９参照）の表面に対して垂直な方向から見た場合をいう。
【００１３】
調光部７０は、照明部５０から照射された光の光量を調節して表示部３０に出力する。調光部７０は、調光パネル８０及び回路部９０を有する。調光パネル８０は、下部基板８０ａと上部基板８０ｂ（図２参照）とを有する。調光パネル８０には、複数の調光領域ＬＤが設けられている。複数の調光領域ＬＤは、平面視において表示領域ＯＡに重なる位置に設けられる。複数の調光領域ＬＤは、それぞれの光の透過率を変更可能に設けられている。回路部９０は、調光信号ＤＩに応じて、複数の調光領域ＬＤの光の透過率を個別に制御する。
【００１４】
図２は、表示部、調光部及び照明部の位置関係の一例を示す図である。なお、図２では、調光部７０のうち調光パネル８０を示している。図２に示すように、表示部３０、調光部７０及び照明部５０は、この順で積層されている。具体的には、照明部５０から光が出力される照射面側に調光パネル８０が積層されている。また、調光パネル８０を挟んで照明部５０の反対側に表示部３０が積層されている。言い換えると、調光部７０は、表示部３０と照明部５０との間に位置する。照明部５０から照射された光は、調光パネル８０の調光領域ＬＤで光量を調節されて表示部３０を照明する。表示部３０は、照明部５０が位置する背面側から照明されて、その反対側（表示面側）に画像を表示出力する。このように、照明部５０は、表示部３０の表示領域ＯＡを背面から照明するバックライトとして機能する。
【００１５】
以下の説明では、表示部３０、調光部７０及び照明部５０が積層される方向をＺ方向とする。また、Ｚ方向に直交する２方向をＸ方向及びＹ方向とする。Ｘ方向とＹ方向は直交する。
【００１６】
図２に示すように、表示部３０は、アレイ基板３０ａと、対向基板３０ｂとを有する。対向基板３０ｂは、アレイ基板３０ａと対向して配置される。後述するように、アレイ基板３０ａと対向基板３０ｂとの間には液晶層ＬＣ１が配置されている（図４参照）。アレイ基板３０ａの背面側には偏光板３０ｃが設けられている。対向基板３０ｂの表示面側には偏光板３０ｄが設けられている。
【００１７】
調光パネル８０は、下部基板８０ａと、上部基板８０ｂと、偏光板８０ｃと、偏光板８０ｄとを有する。上部基板８０ｂは、下部基板８０ａに対して表示面側に位置して下部基板８０ａと対向する。後述するように、下部基板８０ａと上部基板８０ｂとの間には液晶層ＬＣ２が配置されている（図９参照）。偏光板８０ｃは下部基板８０ａの背面側に設けられている。偏光板８０ｄは上部基板８０ｂの表示面側に設けられている。なお、偏光板８０ｄは偏光板３０ｃと兼用してもよい。すなわち、偏光板８０ｄが設けられず、アレイ基板３０ａと上部基板８０ｂとの間に、１つの偏光板３０ｃが設けられていてもよい。
【００１８】
調光部７０が表示部３０と照明部５０との間に位置するので、表示部３０と照明部５０との間で光量を制御することができ、ローカルディミングの精度をより確保しやすくなる。
【００１９】
図３は、表示部の画素配列の一例を示す図である。図３に示すように、複数の画素４８は、Ｘ方向とＹ方向に沿ってマトリクス状に並ぶ。画素４８は、例えば、第１副画素４９Ｒと、第２副画素４９Ｇと、第３副画素４９Ｂと、第４副画素４９Ｗとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。第４副画素４９Ｗは、第４の色（具体的には白色）を表示する。第１副画素４９Ｒ、第２副画素４９Ｇ、第３副画素４９Ｂ及び第４副画素４９Ｗがそれぞれ表示する色は、第１原色、第２原色、第３原色及び白色に限られず、補色など色が異なっていればよい。以下の説明において、第１副画素４９Ｒと、第２副画素４９Ｇと、第３副画素４９Ｂと、第４副画素４９Ｗとをそれぞれ区別する必要がない場合、副画素４９という。なお、画素４８は、４色に限定されず、５色以上、３色以下でもよい。画素４８は、例えば、赤色、青色、緑色の３色であってもよい。
【００２０】
表示装置１は、より具体的には、透過型のカラー液晶表示装置である。図３に示すように、表示部３０は、カラー液晶表示パネルであり、各副画素４９に対応してカラーフィルタが配置される。
【００２１】
図３に示すように、信号出力回路４１は、信号線ＤＴＬによって表示部３０と電気的に接続されている。走査回路４２は、走査線ＳＣＬによって表示部３０と電気的に接続されている。走査回路４２は、表示部３０における副画素４９を選択し、副画素４９の動作（光透過率）を制御するためのスイッチング素子のオン（ＯＮ）及びオフ（ＯＦＦ）を制御する。スイッチング素子は、例えば、薄膜トランジスタ（ＴＦＴ：Thin  Film  Transistor）である。第１実施形態では、走査線ＳＣＬがＹ方向に沿い、信号線ＤＴＬがＸ方向に沿っているが、これは走査線ＳＣＬ及び信号線ＤＴＬの延在方向の一例であってこれに限られるものでなく、適宜変更可能である。
【００２２】
図４は、表示部の概略断面構造の一例を示す断面図である。アレイ基板３０ａは、画素基板２１と、フィルタ膜２６と、対向電極２３と、絶縁膜２４と、画素電極２２と、第１配向膜２８とを有する。画素基板２１は、例えばガラス基板である。対向電極２３は画素基板２１の上側に設けられる。フィルタ膜２６は画素基板２１と対向電極２３の間に設けられる。絶縁膜２４は対向電極２３の上に接して設けられる。画素電極２２は絶縁膜２４の上側に設けられる。第１配向膜２８はアレイ基板３０ａの最上面側に設けられる。偏光板３０ｃは画素基板２１の下面に設けられる。
【００２３】
対向基板３０ｂは、対向画素基板３１と、第２配向膜３８とを含む。対向画素基板３１は、例えば、ガラス基板である。第２配向膜３８は対向画素基板３１の下面に設けられる。偏光板３０ｄは対向画素基板３１の上面に設けられる。
【００２４】
アレイ基板３０ａと対向基板３０ｂとはシール部２９を介して固定されている。アレイ基板３０ａ、対向基板３０ｂ、及びシール部２９によって囲まれた空間には、液晶層ＬＣ１が封止されている。液晶層ＬＣ１は、印加される電界に応じて配向方向が変化する液晶分子を含む。液晶層ＬＣ１は、電界の状態に応じて液晶層ＬＣ１内部を通過する光を変調するものである。液晶層ＬＣ１の液晶分子の方向が、画素電極２２と対向電極２３との間で印加される電界によって変化し、液晶層ＬＣ１を通過する光の透過量が変化する。複数の副画素４９はそれぞれ、画素電極２２を有する。複数の副画素４９の動作（光透過率）を個別に制御するための複数のスイッチング素子は、画素電極２２と電気的に接続されている。
【００２５】
図５は、表示領域と表示分割領域との関係の一例を示す図である。図５に示すように、表示部３０の表示領域ＯＡは、複数の表示分割領域ＰＡを有する。複数の表示分割領域ＰＡの全てを合わせた領域が表示領域ＯＡである。複数の表示分割領域ＰＡは、Ｘ方向に沿って設定されたｘ１、ｘ２、…、ｘ６の座標に対応した位置にそれぞれ配列される。また、表示分割領域ＰＡは、Ｙ方向に沿って設定されたｙ１、ｙ２、ｙ３、ｙ４の座標に対応した位置にそれぞれ配列される。図５に示す例では、表示領域ＯＡは合計で２４個の表示分割領域ＰＡを有する。表示分割領域ＰＡの数及び配置は、後述する調光部７０が有する調光領域ＬＤの数及び配置に対応している。表示分割領域ＰＡの各々には、１以上の画素４８が配置されている。
【００２６】
図６は、照明部の主要構成の一例を示す図である。照明部５０は、表示領域ＯＡを平面視した場合に表示領域ＯＡの側方に位置する光源５２を有する。導光板５１は、平面視で表示領域ＯＡに重なる位置に設けられる。光源５２は、導光板５１の、Ｘ方向の両端側に設けられる。導光板５１のＸ方向の一端側及び他端側の各々で、複数の光源５２はＹ方向に沿って配列される。光源５２は、例えば白色光を発する発光ダイオード（ＬＥＤ：Light  Emitting  Diode）である。これに限られるものでなく、光源５２は、適宜変更可能である。例えば、光源５２は、導光板５１の、Ｘ方向の一端側又は他端側の、一方のみに設けられていてもよい。
【００２７】
光源５２からの光は、導光板５１に導かれて表示領域ＯＡ全体を背面側から照明する。図６では、Ｙ方向に沿って一列に並ぶ光源５２の数が４であり、計８の光源５２が配置されている。照明部５０がサイドライト方式であるので、照明部５０をより薄くすることができる。なお、光源５２の数及び配置は一例であってこれに限られるものでなく、適宜変更可能である。例えば、照明部５０は、所謂直下型バックライトであってもよい。この場合、光源５２は、平面視で表示領域ＯＡと重なって、導光板５１の直下に設けられる。ただし、一般的に、直下型バックライト方式の光源装置のＺ方向の幅（厚み）は、導光板５１を用いたサイドライト方式の照明部５０よりも大幅に大きい。これに対し、第１実施形態によれば、照明部５０の厚みと調光部７０の厚みを合わせたとしても、直下型バックライト方式の光源装置の厚みよりも薄くすることができる。
【００２８】
図６では、導光板５１と表示領域ＯＡとの対応関係を示す目的で、複数の光源領域ＧＡを模式的に示している。複数の光源領域ＧＡはそれぞれ複数の表示分割領域ＰＡ（図５参照）に対応する。複数の光源５２が点灯すると、光源５２からの光は導光板５１によって誘導される。複数の光源領域ＧＡの各々は、略同一の光量を照射する。これにより、照明部５０は、面状の光を調光部７０及び表示部３０に向けて照射する。すなわち、第１実施形態１の照明部５０は、光源領域ＧＡごとに照射される光の光量の制御を行わず、所定の出力で発光する。光量の制御に関する機能は、調光部７０が有する。
【００２９】
次に、図７から図１０を参照して、調光部７０の構成について説明する。図７は、調光部の主要構成の一例を示す図である。図８は、第１電極と配線の接続関係の一例を示す平面図である。図９は、図８のＩＸ−ＩＸ’線に沿う断面図である。
【００３０】
図９に示すように、調光部７０の下部基板８０ａは、第１基板８３、配線８５、絶縁層７５及び第１電極８１を有する。第１基板８３の上に、配線８５、絶縁層７５、第１電極８１の順で設けられる。配線８５は、複数の第１配線８６と、複数の第２配線８７（図８参照）とを含む。絶縁層７５は、配線８５と第１電極８１との間に設けられる。絶縁層７５には、厚さ方向（Ｚ方向）に貫通するコンタクトホールが設けられている。第１電極８１は、絶縁層７５のコンタクトホールに設けられた接続部８８を介して第１配線８６と接続される。接続部８８は、コンタクトホールの内部に設けられた導電性材料を含む。
【００３１】
また、上部基板８０ｂは、第２基板８４及び第２電極８２を有する。下部基板８０ａの第１電極８１が設けられた面と、上部基板８０ｂの第２電極８２が設けられた面とが対向して配置されている。第１電極８１が設けられた面と第２電極８２が設けられた面の間には、液晶層ＬＣ２が設けられている。また、下部基板８０ａと上部基板８０ｂとの間には、スペーサ８９が設けられている。第１基板８３及び第２基板８４は、例えばガラス基板である。第１電極８１及び第２電極８２ならびに配線８５は、例えば酸化インジウムスズ（ＩＴＯ：Indium  Tin  Oxide）等を用いた透光性を有する導電性材料である。又は、第１電極８１及び第２電極８２ならびに配線８５は、メッシュ状の金属細線で形成されていてもよい。
【００３２】
第２電極８２は、複数の調光領域ＬＤ（図７参照）で共有される構造を有する。具体的には、第２電極８２は、複数の調光領域ＬＤの全体の領域を横断して設けられた平膜状のである。複数の調光領域ＬＤで共有される第２電極８２の電位に対して複数の調光領域ＬＤごとに第１電極８１の電位が個別に制御される。これにより、液晶層ＬＣ２は、複数の調光領域ＬＤの各々における液晶のねじれ具合が個別に制御される。これによって、複数の調光領域ＬＤの各々における光の透過率が個別に制御される。
【００３３】
図７に示すように、本実施形態の調光部７０において、第１基板８３には、複数の調光領域ＬＤがマトリクス状に設けられる。複数の調光領域ＬＤは、第１基板８３の表面に平行なＸ方向に配列され、かつ、Ｙ方向に配列される。複数の調光領域ＬＤは、Ｘ方向に沿って設定されたｘ１、ｘ２、…、ｘ６の座標に対応した位置にそれぞれ配列される。また、複数の調光領域ＬＤは、Ｙ方向に沿って設定されたｙ１、ｙ２、ｙ３、ｙ４の座標に対応した位置にそれぞれ配列される。複数の調光領域ＬＤは、平面視で、表示領域ＯＡに重なる位置に設けられる。ここで、上述した表示分割領域ＰＡの数及び配置は、複数の調光領域ＬＤの各々の位置に対応している。複数の調光領域ＬＤは、平面視で表示領域ＯＡ全体をカバーするように設けられる。
【００３４】
それぞれの調光領域ＬＤに複数の第１電極８１がマトリクス状に配置される。１つの調光領域ＬＤに配置された複数の第１電極８１を第１電極ブロックＢＫとする。言い換えると、複数の第１電極８１を含む第１電極ブロックＢＫと重なる領域が、１つの調光領域ＬＤである。それぞれの第１電極ブロックＢＫは、４行４列、計１６個の第１電極８１を含む。ただし、図７は、あくまで例示である。第１電極ブロックＢＫに含まれる第１電極８１の数および位置は適宜変更可能であり、例えば、第１電極ブロックＢＫは、５行以上、又は５列以上の第１電極８１を有してもよい。また、第１電極ブロックＢＫは、Ｘ方向に配列された第１電極８１の数と、Ｙ方向に配列された第１電極８１の数が異なっていてもよい。
【００３５】
図７に示すように、Ｙ方向に配列された複数の第１電極ブロックＢＫを、第１電極ブロックＢＫ−１、ＢＫ−２、ＢＫ−３、ＢＫ−４とする。なお、第１電極ブロックＢＫ−１、ＢＫ−２、ＢＫ−３、ＢＫ−４を区別して説明する必要がない場合には、第１電極ブロックＢＫと表す。また、第１電極ブロック列ＢＫＣは、第１電極ブロックＢＫ−１、ＢＫ−２、ＢＫ−３、ＢＫ−４を含む。複数の第１電極ブロック列ＢＫＣは、Ｘ方向に配列される。
【００３６】
回路部９０は、第１基板８３の、複数の調光領域ＬＤの外側の額縁領域に設けられている。回路部９０は、額縁領域にチップオングラス（ＣＯＧ：Chip  On  Glass）や基板上に直接回路を形成する等の方法で実装される。このように、回路部９０を第１基板８３に設けることで、調光領域ＬＤにおける光の最大透過率をより高めやすくなる。なお、これに限定されず、回路部９０の一部又は全部は、第１基板８３と接続された配線基板（例えば、フレキシブル配線基板）や外部の制御基板等に設けられていてもよい。なお、回路部９０は、額縁領域のうち、Ｘ方向に延在する領域に沿って形成されているが、これに限らず、Ｙ方向に延在する領域に沿って形成されてもよい。
【００３７】
複数の第１電極８１は、配線８５を介して回路部９０と接続される。回路部９０は、外部からの電源電圧ＶＤＤ、第１制御信号ＤＡＴＡ、第２制御信号ＣＬＫ等に基づいて、調光領域ＬＤを選択する。回路部９０は、調光領域ＬＤごと、すなわち、第１電極ブロックＢＫごとに、駆動信号ＶＬ（図１０参照）を第１電極８１に供給する。この場合、回路部９０は、１つの第１電極ブロックＢＫに含まれる複数の第１電極８１に、同じ電位を有する駆動信号ＶＬを供給する。これにより、調光部７０は、下部基板８０ａ及び上部基板８０ｂを透過する光の透過率を、調光領域ＬＤごとに制御可能になっている。
【００３８】
なお、回路部９０は、第１電極ブロック列ＢＫＣごとに、駆動信号ＶＬを第１電極８１に供給してもよい。この場合、回路部９０は、１つの第１電極ブロック列ＢＫＣに含まれる複数の第１電極８１に、同じ電位を有する駆動信号ＶＬを供給する。これにより、調光部７０は、下部基板８０ａ及び上部基板８０ｂを透過する光の透過率を、Ｙ方向に配列された複数の調光領域ＬＤごとに制御可能になっている。
【００３９】
図７に示すように、複数の調光領域ＬＤは、Ｘ方向に第１領域ピッチＰＬｘを有して配列される。また、複数の調光領域ＬＤは、Ｙ方向に第２領域ピッチＰＬｙを有して配列される。第１領域ピッチＰＬｘ及び第２領域ピッチＰＬｙは、１ｍｍ以上５ｍｍ以下、例えば３ｍｍ程度である。複数の第１電極８１は、Ｘ方向に第１配置ピッチＰＡｘを有して配列される。また、複数の第１電極８１は、Ｙ方向に第２配置ピッチＰＡｙを有して配列される。第１配置ピッチＰＡｘ及び第２配置ピッチＰＡｙは、例えば０．１ｍｍ以上０．３ｍｍ以下、例えば、２００μｍ程度である。第１配置ピッチＰＡｘ及び第２配置ピッチＰＡｙは、画素４８の画素ピッチＰｘ、Ｐｙ（図１参照）よりも大きい。また、複数の第１電極８１は、間隔Ｗｘを有してＸ方向に隣り合う。複数の第１電極８１は、間隔Ｗｙを有してＹ方向に隣り合う。間隔Ｗｘ及び間隔Ｗｙは、例えば０．００１ｍｍ以上０．０１ｍｍ以下である。なお、第１配置ピッチＰＡｘと第２配置ピッチＰＡｙとは、同じピッチでもよく、あるいは異なるピッチでもよい。間隔Ｗｘと間隔Ｗｙとは、同じ大きさでもよく、異なる大きさでもよい。
【００４０】
このように、それぞれの調光領域ＬＤに、複数の第１電極８１がマトリクス状に配置される。第１電極８１が設けられた領域と第１電極８１が設けられていない領域とが、第１配置ピッチＰＡｘと第２配置ピッチＰＡｙで繰り返し配置される。これにより、例えば、１つの調光領域ＬＤに１つの第１電極８１が設けられた構成に比べて、第１電極８１が設けられた領域と、第１電極８１が設けられていない領域との透過率の差が視認されにくくなる。したがって、本実施形態の調光部７０は、第１電極８１の配置に起因するモアレの発生を抑制できる。
【００４１】
次に、各第１電極８１と、回路部９０との接続関係について説明する。図８は、２つの第１電極ブロック列ＢＫＣについて示している。図８に示すように、配線８５は、複数の第１配線８６と、複数の第２配線８７とを有する。複数の第１配線８６は、Ｙ方向（第１方向）に延在し、Ｙ方向と交差するＸ方向（第２方向）に配列される。第２配線８７は、Ｘ方向に延在し、複数の第１配線８６と接続される。第１配線８６は、例えばＩＴＯ等の透光性を有する導電性材料である。第２配線８７は、第１配線８６と同じ材料である透光性を有する導電性材料であってもよく、銅や銀等の金属材料であってもよい。
【００４２】
配線８５は、第１電極ブロックＢＫごとに設けられ、第１電極ブロックＢＫのそれぞれと回路部９０とを接続する。具体的には、複数の第１配線８６−１及び第２配線８７−１は、接続部８８を介して第１電極ブロックＢＫ−１の第１電極８１と接続される。複数の第１配線８６−２及び第２配線８７−２は、接続部８８を介して第１電極ブロックＢＫ−２の第１電極８１と接続される。複数の第１配線８６−３及び第２配線８７−３は、接続部８８を介して第１電極ブロックＢＫ−３の第１電極８１と接続される。複数の第１配線８６−４及び第２配線８７−４は、接続部８８を介して第１電極ブロックＢＫ−４の第１電極８１と接続される。
【００４３】
ここで、１つの第１電極ブロックＢＫにおいて、Ｙ方向に配列された複数の第１電極８１を部分ブロックＢＫｐとする。図８では、４つの部分ブロックＢＫｐ−１、ＢＫｐ−２、ＢＫｐ−３、ＢＫｐ−４がＸ方向に配列される。
【００４４】
複数の第１配線８６−１は、４つの第１配線８６−１−１、８６−１−２、８６−１−３、８６−１−４を含む。第１配線８６−１−１、８６−１−２、８６−１−３、８６−１−４の数は、第１電極ブロックＢＫのＸ方向に配列された第１電極８１の数と等しい。第１配線８６−１−１は、部分ブロックＢＫｐ−１の複数の第１電極８１と重なって設けられる。第１配線８６−１−１は、接続部８８を介して、部分ブロックＢＫｐ−１の複数の第１電極８１と接続される。部分ブロックＢＫｐ−２は、部分ブロックＢＫｐ−１とＸ方向に隣り合う。第１配線８６−１−２は、接続部８８を介して、部分ブロックＢＫｐ−２の複数の第１電極８１と重なって設けられる。つまり、部分ブロックＢＫｐ−２の複数の第１電極８１は、第１配線８６−１−１とは異なる第１配線８６−１−２と接続される。同様に、第１配線８６−１−３は、部分ブロックＢＫｐ−３の複数の第１電極８１と接続される。第１配線８６−１−４は、部分ブロックＢＫｐ−４の複数の第１電極８１と接続される。
【００４５】
複数の第１配線８６−１は、Ｙ方向に配列された複数の調光領域ＬＤに重なって設けられる。複数の第１配線８６−１は、複数の調光領域ＬＤの、Ｙ方向の一方の外縁から、他方の外縁まで延在する。すなわち、複数の第１配線８６−１は、第１電極ブロックＢＫ−２、ＢＫ−３、ＢＫ−４と重なってＹ方向に延在する。複数の第１配線８６−１と第１電極ブロックＢＫ−２、ＢＫ−３、ＢＫ−４との間に絶縁層７５（図９参照）が設けられる。これにより、複数の第１配線８６−１は、第１電極ブロックＢＫ−２、ＢＫ−３、ＢＫ−４と電気的に離隔される。複数の第１配線８６−１−１、８６−１−２、８６−１−３、８６−１−４は、共通の第２配線８７−１と接続される。第２配線８７−１は回路部９０に接続される。
【００４６】
このような構成により、第１電極ブロックＢＫ−１の各第１電極８１は、配線８５（複数の第１配線８６−１及び共通の第２配線８７−１）を介して回路部９０と接続される。
【００４７】
第１電極ブロックＢＫ−２、ＢＫ−３、ＢＫ−４においても同様に配線８５を介して回路部９０と接続される。すなわち、第１電極ブロックＢＫ−２において、第１配線８６−２（第１配線８６−２−１、８６−２−２、８６−２−３、８６−２−４）は、第１電極ブロックＢＫ−２の各部分ブロックＢＫｐに重なって設けられる。第１配線８６−２は、接続部８８を介して、各部分ブロックＢＫｐの第１電極８１と接続される。複数の第１配線８６−２は、共通の第２配線８７−２と接続される。第２配線８７−２は、第２配線８７−１とは個別に回路部９０に接続される。
【００４８】
ここで、第１電極ブロックＢＫ−２が設けられた調光領域ＬＤ（第２調光領域とする）は、第１電極ブロックＢＫ−１が設けられた調光領域ＬＤ（第１調光領域とする）とＹ方向に隣り合って設けられる。第２調光領域は、Ｙ方向での回路部９０との距離が第１調光領域よりも近い位置に設けられる。第２調光領域の第１電極ブロックＢＫ−２と接続された第１配線８６−２は、第１調光領域と重なる位置に延在する。なお、第１配線８６−２は、第１電極ブロックＢＫ−１、ＢＫ−３、ＢＫ−４と接続されていない。
【００４９】
また、第１調光領域の第１電極ブロックＢＫ−１と接続された第１配線８６−１は、第２調光領域と重なる位置に延在する。
【００５０】
このような構成により、Ｙ方向に隣り合う調光領域ＬＤにおいて、回路部９０に近い位置の調光領域ＬＤに重なる第１配線８６の数と、回路部９０から離れた位置の調光領域ＬＤに重なる第１配線８６の数を等しくすることができる。これにより、複数の調光領域ＬＤでの第１配線８６の配置密度の差を抑制でき、調光領域ＬＤごとの光の透過率の差を小さくすることができる。
【００５１】
第１電極ブロックＢＫ−３において、複数の第１配線８６−３（第１配線８６−３−１、８６−３−２、８６−３−３、８６−３−４）は、第１電極ブロックＢＫ−３の各部分ブロックＢＫｐに重なって設けられる。複数の第１配線８６−３は、それぞれ、接続部８８を介して、各部分ブロックＢＫｐと接続される。複数の第１配線８６−３は、共通の第２配線８７−３と接続される。第２配線８７−３は、第２配線８７−１、８７−２とは個別に回路部９０に接続される。また、複数の第１配線８６−３は、第１電極ブロックＢＫ−１、ＢＫ−２、ＢＫ−４と重なる位置に延在する。
【００５２】
第１電極ブロックＢＫ−４において、複数の第１配線８６−４（第１配線８６−４−１、８６−４−２、８６−４−３、８６−４−４）は、第１電極ブロックＢＫ−４の各部分ブロックＢＫｐに重なって設けられる。複数の第１配線８６−４は、それぞれ、接続部８８を介して、各部分ブロックＢＫｐと接続される。複数の第１配線８６−４は、共通の第２配線８７−４と接続される。第２配線８７−４は、第２配線８７−１、８７−２、８７−３とは個別に回路部９０に接続される。また、複数の第１配線８６−４は、第１電極ブロックＢＫ−１、ＢＫ−２、ＢＫ−３と重なる位置に延在する。
【００５３】
なお、１つの部分ブロックＢＫｐと重なる位置に、４つの第１配線８６−４、８６−３、８６−２、８６−１が、この順でＸ方向に配列されている。第１配線８６−４、８６−３、８６−２、８６−１の配列の順番は、適宜変更できる。また、第１配線８６−４、８６−３、８６−２、８６−１の配列の順番は、部分ブロックＢＫｐごとに異なっていてもよい。
【００５４】
第１配線８６−１、８６−２、８６−３、８６−４及び第２配線８７−１、８７−２、８７−３、８７−４は、第１電極ブロック列ＢＫＣごとに、同様の構成で設けられる。このような接続構成により、回路部９０は、調光領域ＬＤごと、すなわち、第１電極ブロックＢＫごとに、駆動信号ＶＬ（図１０参照）を第１電極８１に供給する。これにより、調光部７０は、調光領域ＬＤごとに光の透過率を制御することができる。
【００５５】
また、図９に示すように、スペーサ８９は、接続部８８の上に設けられる。これにより、液晶層ＬＣ２で、スペーサ８９の近傍で生じる液晶分子の配向乱れの領域と、接続部８８の近傍で生じる液晶分子の配向乱れの領域とが重なる。このため、液晶分子の配向乱れの領域を小さくすることができる。
【００５６】
なお、図９に示す第１基板８３の上において、隣り合う第１電極８１の隙間と重なる位置にダミー配線を設けてもよい。ダミー配線は、第１配線８６、第１電極８１等と接続されずフローティング状態である。ダミー配線を設けることにより、第１電極８１が設けられた領域と、第１電極８１が設けられていない領域との、透過率の差を小さくすることができる。また、隣り合う第１配線８６の間にダミー配線を設けてもよい。これにより、第１配線８６が設けられた領域と、第１配線８６が設けられていない領域との、透過率の差を小さくすることができる。
【００５７】
図１０は、回路部の機能構成例を示すブロック図である。図１０に示すように、回路部９０は、シフトレジスタ９１、保持部９２、マルチプレクサ９３及び電位生成部９４を有する。
【００５８】
シフトレジスタ９１は、複数の順序回路（例えば、レジスタ）が直列に接続された構成である。シフトレジスタ９１は、第１制御信号ＤＡＴＡ及び第２制御信号ＣＬＫが入力される。第１制御信号ＤＡＴＡは、第１電極ブロックＢＫの電位を個別に制御するための信号である。第２信号ＣＬＫは、シフトレジスタ９１のレジスタ間での情報の移動（シフト）タイミングを制御するためのクロック信号である。シフトレジスタ９１は、第２制御信号ＣＬＫに応じて、順次、第１電極ブロックＢＫの電位を制御するための電気信号を保持部９２に出力する。
【００５９】
保持部９２は、シフトレジスタ９１から出力される電気信号を保持する。保持部９２は、例えばＳＲＡＭ（Static  Random  Access  Memory）である。保持部９２は第３制御信号ＯＥに応じて、シフトレジスタ９１から出力される電気信号をマルチプレクサ９３に出力する。第３制御信号ＯＥは、保持部９２からマルチプレクサ９３に対して行われる情報の出力タイミングを制御するための信号である。なお、調光信号ＤＩ（図１参照）は、第１制御信号ＤＡＴＡ、第２制御信号ＣＬＫ、第３制御信号ＯＥを含む。
【００６０】
マルチプレクサ９３は、複数のスイッチ素子を含むスイッチ回路である。マルチプレクサ９３は、例えば、複数のＴＦＴ素子を有する。マルチプレクサ９３は、シフトレジスタ９１から出力される電気信号に応じて、駆動信号ＶＬを第１電極ブロックＢＫごとに供給する。
【００６１】
電位生成部９４は、電源電圧ＶＤＤが入力され、調光領域ＬＤの各々の光の透過率に応じた１以上の電位を生成する回路である。電位生成部９４は、例えば、異なる３つの電位を有する電圧信号をマルチプレクサ９３に出力する。図１０に示す例では、下部基板８０ａは、複数の調光領域ＬＤの全体でｎ個の第１電極ブロックＢＫ−１、ＢＫ−２、ＢＫ−３、…、ＢＫ−ｎを有する。電位生成部９４から出力された電圧信号が、マルチプレクサ９３及び、配線８５（図８参照）を介して複数の第１電極ブロックＢＫ−１、ＢＫ−２、ＢＫ−３、…、ＢＫ−ｎにそれぞれ供給される。になお、図１０に示す回路部９０の構成は、あくまで一例であり、適宜変更することができる。
【００６２】
本実施形態では、回路部９０の動作により、光の透過率に応じた電位を有する駆動信号ＶＬが、第１電極ブロックＢＫに供給される。すなわち、複数の調光領域ＬＤと重なる領域に、ＴＦＴ素子等のスイッチ素子を設ける必要がない。また、図８に示すように、配線８５を介して、マトリクス状に配置された複数の第１電極ブロックＢＫが回路部９０に接続される。このような構成により、調光部７０は、調光領域ＬＤにスイッチ素子を設けずに、マトリクス状に配置された調光領域ＬＤごとに光の透過率を制御することができる。
【００６３】
（第２実施形態）
図１１は、第２実施形態に係る第１電極と配線の接続関係の一例を示す平面図である。図１１では、図面を見やすくするために、４つの調光領域ＬＤについて示している。また、図１１では、２つの第１電極ブロック列ＢＫＣを示す。それぞれの第１電極ブロック列ＢＫＣは、２つの第１電極ブロックＢＫ−１、ＢＫ−２を含む。各第１電極ブロックＢＫは、４つの第１電極８１−１、８１−２、８１−３、８１−４を含む。図１１は、あくまで例示であり、第１電極ブロックＢＫに４つ以上の第１電極８１が設けられていてもよく、５つ以上の調光領域ＬＤが設けられていてもよい。
【００６４】
第１電極ブロックＢＫにおいて、第１電極８１−１は、第１電極８１−２とＸ方向に隣り合う。第１電極８１−１は、第１電極８１−３とＹ方向に隣り合う。第１電極８１−３は、第１電極８１−４とＸ方向に隣り合う。本実施形態の調光部７０Ａは、第１実施形態と同様に、第１配線８６−１−１、８６−１−２は、接続部８８を介して第１電極ブロックＢＫ−１と接続される。第１配線８６−２−１、８６−２−２は、接続部８８を介して第１電極ブロックＢＫ−２と接続される。本実施形態では、ｎ個の第１電極ブロックＢＫ−３、…、ＢＫ−ｎ（図１１では省略して示す）がＹ方向に配列される。第１配線８６−３−１、８６−３−２、…、８６−ｎ−１、８６−ｎ−２は、それぞれ、第１電極ブロックＢＫ−３、…、ＢＫ−ｎと接続される。
【００６５】
図１１に示すように、Ｘ方向に隣り合う第１電極８１−１と第１電極８１−２において、それぞれの接続部８８のＹ方向の位置が異なる。同様に、Ｘ方向に隣り合う第１電極８１−３と第１電極８１−４において、それぞれの接続部８８のＹ方向の位置が異なる。また、隣り合う調光領域ＬＤにおいて、図１１左側の調光領域ＬＤの第１電極８１−２と、図１１右側の調光領域ＬＤの第１電極８１−１において、それぞれの接続部８８のＹ方向の位置が異なる。図１１左側の調光領域ＬＤの第１電極８１−４と、図１１右側の調光領域ＬＤの第１電極８１−３において、それぞれの接続部８８のＹ方向の位置が異なる。
【００６６】
このように、本実施形態の調光部７０Ａでは、隣接する第１電極８１間で接続部８８のＹ方向の位置が異なるように設けられる。これにより、接続部８８がＸ方向に沿って配列されることを抑制できる。このため、接続部８８により光の透過率が異なる領域が、直線状に配列されて視認されることを抑制できる。なお、接続部８８のＹ方向の位置は、ランダムに配置してもよい。
【００６７】
図１２は、第２実施形態の第１変形例に係る第１電極と配線の接続関係の一例を示す平面図である。図１２において、Ｘ方向に隣接する第１電極ブロックＢＫ−１を、第１電極ブロックＢＫ−１−１及び第１電極ブロックＢＫ−１−２とする。また、Ｘ方向に隣接する第１電極ブロックＢＫ−２を、第１電極ブロックＢＫ−２−１及び第１電極ブロックＢＫ−２−２とする。図１２に示すように、第１電極ブロックＢＫ−１−１では、Ｘ方向に互いに隣接する第１電極８１−１、８１−２において、接続部８８のＹ方向の位置が同一である。第１電極ブロックＢＫ−１−２でも、Ｘ方向に互いに隣接する第１電極８１−１、８１−２において、接続部８８のＹ方向の位置が同一である。第１電極ブロックＢＫ−１−２の第１電極８１−１、８１−２は、同一行に位置する第１電極ブロックＢＫ−１−１の第１電極８１−１、８１−２と、接続部８８のＹ方向の位置が異なる。
【００６８】
図１３は、第２実施形態の変形例に係る第１電極と配線の接続関係の一例を示す平面図である。図１３に示す調光部７０Ｂにおいて、接続部８８のＸ方向の位置がランダムに設けられる。具体的には、図１３に示すように第１電極ブロックＢＫ−１−１において、第１電極８１−１は、第１接続部８８−１を介して第１配線８６−２−１と接続される。第１電極ブロックＢＫ−１−１において、第１電極８１−２は、第２接続部８８−２を介して第１配線８６−１−２と接続される。第１電極ブロックＢＫ−１−２において、第１電極８１−１は、第３接続部８８−３を介して第１配線８６−２−１と接続される。
【００６９】
Ｘ方向に配列された３つの第１電極８１−１、８１−２、８１−１は、それぞれ第１接続部８８−１、第２接続部８８−２、第３接続部８８−３を介して、異なる第１配線８６と接続される。第１接続部８８−１、第２接続部８８−２及び第３接続部８８−３のＹ方向の位置は同一である。また、隣り合う第１接続部８８−１と第２接続部８８−２との間のＸ方向の距離ｄ１は、隣り合う第２接続部８８−２と第３接続部８８−３との間のＸ方向の距離ｄ２と異なっている。
【００７０】
これにより、調光部７０Ｂは、接続部８８がＸ方向に等間隔で配列されることを抑制できる。したがって、接続部８８により光の透過率が異なる領域が視認されることを抑制できる。なお、接続部８８のＸ方向の位置は、ランダムに配置してもよい。また、第１電極ブロックＢＫ−１とＹ方向に隣り合う第１電極ブロックＢＫ−２において、接続部８８がＸ方向において等間隔に配置されている。ただし、これに限らず、第１電極ブロックＢＫ−１と第１電極ブロックＢＫ−２とで、接続部８８のＸ方向の間隔が異なる様に設けられてもよい。なお、接続部８８の配置は、図１１から図１３に示す例に限定されない。例えば、接続部８８は、Ｘ方向の位置がランダムになるように、かつ、Ｙ方向の位置がランダムになるように設けてもよい。
【００７１】
（第３実施形態）
図１４は、第３実施形態に係る第１電極と、第１配線及び第３配線の接続関係の一例を示す平面図である。図１５は、図１４のＸＶ−ＸＶ’線に沿う断面図である。本実施形態の調光部７０Ｃは、複数の第１配線８６Ａと複数の第３配線８６Ｂとを有する。複数の第１配線８６Ａと複数の第３配線８６Ｂとは、それぞれＹ方向に延在し、Ｘ方向に配列される。平面視で、第１配線８６Ａと第３配線８６ＢとはＸ方向に交互に設けられる。言い換えると、第３配線８６Ｂは、平面視で、Ｘ方向に隣り合う第１配線８６Ａの間に設けられる。
【００７２】
第１配線８６Ａ及び第３配線８６Ｂは、Ｙ方向に隣り合う複数の第１電極ブロックＢＫ−１、ＢＫ−２と重なって設けられる。また、１つの第１電極ブロックＢＫ−１において、第１配線８６Ａ及び第３配線８６Ｂは、Ｙ方向に隣り合う複数の第１電極８１−１、８１−３と重なって設けられる。
【００７３】
本実施形態では、ｍ本の第１配線８６Ａと、（ｍ−１）本の第３配線８６Ｂとが交互に配列される。第１配線８６Ａ−１−１は、第１電極ブロックＢＫ−１の第１電極８１−１、８１−３と、接続部８８を介して接続される。また、第３配線８６Ｂ−１−１は、第１電極ブロックＢＫ−２の複数の第１電極８１と、接続部８８を介して接続される。第１配線８６Ａ第１配線８６Ａ−２−１、第３配線８６Ｂ−２−１、第１配線８６Ａ−３−１、…、第１配線８６Ａ−ｍ−１は、それぞれＹ方向に隣り合う異なる第１電極ブロックＢＫに接続される。
【００７４】
第１配線８６Ａ−１−２は、第１電極ブロックＢＫ−１の第１電極８１−２、８１−４と、接続部８８を介して接続される。また、第３配線８６Ｂ−１−２は、第１電極ブロックＢＫ−２の複数の第１電極８１と、接続部８８を介して接続される。第１配線８６Ａ−１−１と第１配線８６Ａ−１−２とは、共通の第２配線８７（図８参照）を介して回路部９０に接続される。また、第３配線８６Ｂ−１−１と第３配線８６Ｂ−１−２とは、共通の第２配線８７（図８参照）を介して回路部９０に接続される。このように、第１電極ブロックＢＫは、それぞれ第１配線８６Ａ又は第３配線８６Ｂを介して回路部９０に接続される。
【００７５】
図１５に示すように、第１基板８３の上に第３配線８６Ｂが設けられる。第３配線８６Ｂの上側に、絶縁層７５ａを介して第１配線８６Ａが設けられる。第１配線８６Ａの上側に絶縁層７５ｂを介して第１電極８１が設けられる。このように、第１配線８６Ａと第３配線８６Ｂとは異なる層に設けられる。このため、図１４に示すように、平面視で、Ｘ方向に隣り合う第１配線８６Ａと第３配線８６Ｂとの間隔を小さくすることができる。
【００７６】
このような構成により、複数の調光領域ＬＤで、第１配線８６Ａ及び第３配線８６Ｂが設けられていない領域が小さくなる。このため、第１配線８６Ａ及び第３配線８６Ｂによる透過率分布が発生することを抑制することができる。したがって、本実施形態の調光部７０Ｃは、第１配線８６Ａ及び第３配線８６Ｂの繰り返し配置に起因するモアレの発生を抑制できる。また、第１配線８６Ａ及び第３配線８６Ｂの数が多い場合であっても、第１電極８１の第１配置ピッチＰＡｘを小さくすることができる。このため、１つの調光領域ＬＤの面積を小さくして、調光部７０の解像度を高めることができる。
【００７７】
また、図１５に示すように、隣り合う第１電極８１の隙間と重なる位置にダミー配線８６Ｄが設けられる。ダミー配線８６Ｄは、第１配線８６Ａ、第２配線８７（図８参照）、第３配線８６Ｂ及び第１電極８１等と接続されず、フローティング状態である。これにより、第１電極８１が設けられた領域と、第１電極８１が設けられていない領域との透過率の差を小さくすることができる。
【００７８】
（第４実施形態）
図１６は、第４実施形態に係る第１電極と配線の接続関係の一例を示す平面図である。図１６に示すように、本実施形態の調光部７０Ｄは、第１部分電極８１Ａと、第２部分電極８１Ｂとを有する。複数の第１部分電極８１ＡはＸ方向に配列される。複数の第２部分電極８１ＢはＸ方向に配列される。第１部分電極８１Ａと第２部分電極８１Ｂとは、Ｙ方向に交互に配列される。第１部分電極８１Ａは、Ｙ方向に対して傾斜する２辺を有する。第２部分電極８１Ｂは、Ｙ方向に対して、第１部分電極８１Ａの傾斜する２辺とは異なる方向に傾斜する２辺を有する。第２部分電極８１Ｂは、第１部分電極８１Ａとは異なる形状を有する。第１部分電極８１Ａと第２部分電極８１ＢとはＸ方向に平行な仮想線（図示せず）を軸に、対称となるように配置されている。
【００７９】
第１配線８６は、それぞれジグザグ状の線であり、全体としてＹ方向に長手を有する。例えば、第１配線８６は、複数の第１部分配線８６ａと、複数の第２部分配線８６ｂと、複数の屈曲部８６ｘと、を有する。第２部分配線８６ｂは、第１部分配線８６ａと交差する方向に延びている。また、屈曲部８６ｘは、第１部分配線８６ａと第２部分配線８６ｂとを接続している。
【００８０】
第１部分配線８６ａは、Ｘ方向及びＹ方向と交差する方向に延びている。第２部分配線８６ｂも、Ｘ方向及びＹ方向と交差する方向に延びている。第１部分配線８６ａは第１部分電極８１Ａと重なって設けられる。第１部分配線８６ａは、第１部分電極８１Ａの辺に沿った方向に延びる。また、第２部分配線８６ｂは、第２部分電極８１Ｂと重なって設けられる。第２部分配線８６ｂは、第２部分電極８１Ｂの辺に沿った方向に延びる。屈曲部８６ｘは、Ｙ方向に隣り合う第１部分電極８１Ａと第２部分電極８１Ｂとの間に位置する。
【００８１】
第１電極ブロックＢＫは、複数の第１部分電極８１Ａと複数の第２部分電極８１Ｂとを含む。１つの調光領域ＬＤは、第１電極ブロックＢＫと重なる領域である。本実施形態において、第１配線８６−１−１は、接続部８８を介して、第１電極ブロックＢＫ−１の第１部分電極８１Ａ及び第２部分電極８１Ｂと接続される。第１配線８６−１−２は、第１配線８６−１−１が接続された第１部分電極８１Ａ及び第２部分電極８１Ｂと、Ｘ方向に隣り合う第１部分電極８１Ａ及び第２部分電極８１Ｂと接続される。第１配線８６−１−１及び第１配線８６−１−２は共通の第２配線８７（図８参照）に接続される。これにより、第１電極ブロックＢＫ−１は、回路部９０に接続される。第１電極ブロックＢＫ−２も同様の接続関係により、回路部９０に接続される。
【００８２】
本実施形態において、第１部分電極８１Ａ及び第２部分電極８１Ｂを図１６に示す形状にすることで、第１部分電極８１Ａ及び第２部分電極８１Ｂが設けられていない領域が、Ｙ方向に沿って直線状に形成されない。このため、第１部分電極８１Ａ及び第２部分電極８１Ｂが設けられた領域と、第１部分電極８１Ａ及び第２部分電極８１Ｂが設けられていない領域との透過率の差が視認されにくくなる。
【００８３】
なお、第１部分電極８１Ａ及び第２部分電極８１Ｂは、それぞれ平行四辺形状であるが、その他の形状であってもよい。例えば、第１部分電極８１Ａ及び第２部分電極８１Ｂは、矩形状、多角形状、異形状であってもよい。また、第１配線８６、ジグザグ状に限定されず、波線状、直線状など他の形状であってもよい。
【００８４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。例えば、本実施例において、回路部９０は、調光部８０のＸ方向に延在する基板辺に沿って形成されているが、これに限らず、Ｙ方向に延在する基板辺に沿って形成されてもよい。また、第１配線８６がＸ方向に延在し、第２配線８７がＹ方向に延在してもよい。
【符号の説明】
【００８５】
１  表示装置
３０  表示部
４８  画素
４０  駆動部
５０  照明部
５１  導光板
５２  光源
７０、７０Ａ、７０Ｂ、７０Ｃ、７０Ｄ  調光部
８０  調光パネル
８１  第１電極
８１Ａ  第１部分電極
８１Ｂ  第２部分電極
８２  第２電極
８３  第１基板
８４  第２基板
８５  配線
８６、８６Ａ  第１配線
８６Ｂ  第３配線
８６ａ  第１部分配線
８６ｂ  第２部分配線
８６ｘ  屈曲部
８７  第２配線
９０  回路部
９１  シフトレジスタ
９２  保持部
９３  マルチプレクサ
９４  電位生成部
ＢＫ、ＢＫ−１、ＢＫ−２、ＢＫ−３、ＢＫ−４  第１電極ブロック
ＢＫＣ  第１電極ブロック列
ＢＫｐ  部分ブロック
ＯＡ  表示領域
ＬＤ  調光領域
ＶＬ  駆動信号
【図１】
2019203934.tif 000003
【図２】
2019203934.tif 000004
【図３】
2019203934.tif 000005
【図４】
2019203934.tif 000006
【図５】
2019203934.tif 000007
【図６】
2019203934.tif 000008
【図７】
2019203934.tif 000009
【図８】
2019203934.tif 000010
【図９】
2019203934.tif 000011
【図１０】
2019203934.tif 000012
【図１１】
2019203934.tif 000013
【図１２】
2019203934.tif 000014
【図１３】
2019203934.tif 000015
【図１４】
2019203934.tif 000016
【図１５】
2019203934.tif 000017
【図１６】
2019203934.tif 000018